(57)【特許請求の範囲】
【請求項１】
電子ズーム機能を有するテレビジョンカメラにおいて、映像信号を記録する第１記録手段と、前記映像信号を電子ズーム拡大するための電子ズーム処理手段と、前記電子ズーム処理手段での電子ズーム処理に係わる電子ズーム倍率または電子ズーム対象範囲あるいはその両方を示す電子ズーム情報を前記記録された映像信号と関連付けて記録する第２記録手段と、前記第１記録手段からの映像信号を前記第２記録手段に記録してある電子ズーム情報に基づき出力する手段とを有することを特徴とするテレビジョンカメラ。
【発明の詳細な説明】
【０００１】
【発明の属する技術分野】
本発明は電子ズーム機能を有するテレビジョンカメラの改良に係わる。
【０００２】
【従来の技術】
従来の電子ズーム機能を有するテレビジョンカメラとしては、固体撮像素子で撮像された映像信号を補間処理し、１フィールドのうちの一部分の映像信号を１フィールド分の映像信号に補間することで、電子的に拡大された画像を表示するための映像信号を出力するものがある。
【０００３】
ここで、図２を用いて従来のテレビジョンカメラについて説明する。
この図において、２１は撮像光を電荷に変換して映像信号として出力する固体撮像素子（ＣＣＤ）、２２はＣＣＤ２１から出力された映像信号をサンプルホールドし、さらに所要レベルまで増幅して出力するサンプルホールドおよび自動利得制御回路（ＣＤＳ＆ＡＧＣ回路）、２３はＣＤＳ＆ＡＧＣ回路２２からのアナログ映像信号をデジタル映像信号に変換するＡ／Ｄ変換器、２４はＡ／Ｄ変換器２３からの映像信号に所定の映像信号処理、例えば、ガンマ補正やホワイトバランス調整のための処理を施すためのＤＳＰ回路である。
【０００４】
さらに、上述の所定の映像信号処理が施された映像信号は、ＤＳＰ回路２４から出力されてセレクタ回路２６とセレクタ回路２９とに入力される。セレクタ回路２６では、ＤＳＰ回路２４からの映像信号とメモリ２７からの映像信号とを入力し、そらのうちの一方を選択して、該選択された映像信号をメモリ２７へ出力する。メモリ２７では、マイクロコンピュータ２８からの制御信号により所定の映像信号が入力され、１フィールド分の映像信号毎に複数フィールド分が記録される。ここで、メモリ２７に映像信号が記録される場合としては、所定の撮像画像内容に応じて、例えば、画面の所定部分に人物が撮影されるような状況を検知するセンサ（図示せず）を設けて、そのセンサからの検知信号に応じそのような状況あるいはその前後の映像信号を記録する。あるいは、操作者がそのテレビジョンカメラから出力される映像信号による画像をモニタ（図示せず）で監視する操作者が、記録したい映像が表示されていると判断したときに、その操作者による指示に応じて映像信号を記録する。このメモリ２７からは、マイクロコンピュータ２８からの制御信号に応じて所定のタイミングで映像信号が出力され、前述のセレクタ回路２６とセレクタ回路２９とへ入力される。
【０００５】
セレクタ回路２９では、ＤＳＰ回路２４からの映像信号とメモリ２７からの映像信号とを入力し、そらのうちの一方を選択して、該選択された映像信号を出力する。セレクタ回路２９からの映像信号は電子ズーム処理回路３０へ入力される。電子ズーム処理回路３０では、マイクロコンピュータ２８からの電子ズーム制御信号に応じて、入力された映像信号をデジタル信号処理して画像が拡大されるように補間処理する。この電子ズーム制御信号は、例えば、このテレビジョンカメラの操作者が任意に倍率または拡大対象範囲あるいはその両方を設定して、その設定に応じた電子ズームをおこなえるようにする。補間処理された映像信号は、電子ズーム処理回路３０からＤ／Ａ変換＆エンコーダ回路３１へ入力され、デジタルの映像信号からアナログの映像信号に変換された後、モニタ（図示せず）で画面表示可能な映像信号となるように変調（エンコード）され、その変調された映像信号が後段のモニタ等へ出力される。
【０００６】
【発明が解決しようとする課題】
上述の従来技術では、メモリ２７に映像信号が記録される場合に、電子ズーム処理されていない映像信号がＤＳＰ回路２４から、またはメモリ２７から入力され記録されることになる。そのため、メモリ２７に記録される映像信号に対応づけては、現に電子ズーム処理されてテレビジョンカメラから出力されている出力映像信号に施されている電子ズームのための補間処理の処理内容が記録されていない。よって、メモリ２７から出力される映像信号には、記録時にその出力信号に施されていた電子ズーム倍率や拡大対象範囲がわからないため、その出力映像信号に施された電子ズーム処理を即座に施すことができず、メモリ２７に記録時の電子ズーム処理された映像信号と同じものを、メモリ２７からの映像信号を用いて再生しテレビジョンカメラから出力することが困難な場合があった。
【０００７】
本発明の目的は、テレビジョンカメラのメモリに記憶された映像信号に対して、その記憶時に並行してテレビジョンカメラから出力される映像信号に施されていたのと同じ電子ズーム処理を、そのメモリからの映像信号に、より簡便に施した上で、テレビジョンカメラから出力できるようにすることである。
【０００８】
【課題を解決するための手段】
本発明は上記の課題を解決するために、電子ズーム機能を有するテレビジョンカメラにおいて、映像信号を記録する第１記録手段と、前記映像信号を電子ズーム拡大するための補間処理を該映像信号に施す補間手段と、前記補間手段での補間処理に係わる電子ズーム倍率または電子ズーム対象範囲あるいはその両方を示す電子ズーム情報を前記記録された映像信号と関連付けて記録する第２記録手段とを有するものである。
さらに、本発明はセンサからの外部アラーム入力信号を前記テレビジョンカメラに入力する手段を有し、前記外部アラーム入力信号入力時に、前記映像信号と前記電子ズーム情報とが関連づけて記録されるものである。
【０００９】
【発明の実施の形態】
以下、本発明の一実施例について、図１を用いて説明する。
この図において、１は撮像光を電荷に変換して映像信号として出力する固体撮像素子（ＣＣＤ）、２はＣＣＤ１から出力された映像信号をサンプルホールドし、さらに所要レベルまで増幅して出力するサンプルホールドおよび自動利得制御回路（ＣＤＳ＆ＡＧＣ回路）、３はＣＤＳ＆ＡＧＣ回路２からのアナログ映像信号をデジタル映像信号に変換するＡ／Ｄ変換器、４はＡ／Ｄ変換器３からの映像信号に所定の映像信号処理、例えば、ガンマ補正やホワイトバランス調整のための処理を施すためのＤＳＰ回路である。
【００１０】
さらに、上述の所定の映像信号処理が施された映像信号は、ＤＳＰ回路４から出力されて電子ズーム情報付加回路５とセレクタ回路９とに入力される。電子ズーム情報付加回路５では、マイクロコンピュータ８からの電子ズーム情報が、ＤＳＰ回路４からの映像信号に付加される。ここで、映像信号に付加される電子ズーム情報としては、現に映像信号を電子ズーム処理しその電子ズーム処理された映像信号を出力している最中にその処理に用いられている電子ズーム情報を付加する。
【００１１】
電子ズーム情報付加回路５で電子ズーム情報が付加された映像信号は、セレクタ回路６へ入力される。セレクタ回路６では、電子ズーム情報付加回路５からの電子ズーム情報付加映像信号と、メモリ７からの電子ズーム情報付加映像信号とを入力し、そらのうちの一方を選択して、該選択された電子ズーム情報付加映像信号をメモリ７へ出力する。メモリ７では、マイクロコンピュータ８からの制御信号により所定の電子ズーム情報付加映像信号が入力され、１フィールド分の電子ズーム情報付加映像信号毎に複数フィールド分が記録される。ここで、メモリ７に電子ズーム情報付加映像信号が記録される場合としては、所定の撮像画像内容に応じて、例えば、画面の所定部分に人物が撮影されるような状況を検知するセンサ（図示せず）を設けて、そのセンサからの検知信号に応じそのような状況あるいはその前後の映像信号を記録する。あるいは、操作者がそのテレビジョンカメラから出力される映像信号による画像をモニタ（図示せず）で監視する操作者が、記録したい映像が表示されていると判断したときに、その操作者による指示に応じて映像信号を記録する。このメモリ７からは、マイクロコンピュータ８からの制御信号に応じて所定のタイミングで電子ズーム情報付加映像信号が出力され、前述のセレクタ回路６とセレクタ回路９とへ入力される。
【００１２】
セレクタ回路９では、ＤＳＰ回路４からの映像信号とメモリ７からの電子ズーム情報付加映像信号とを入力し、そらのうちの一方を選択して、該選択された映像信号または電子ズーム情報付加映像信号を出力する。セレクタ回路９からの映像信号または電子ズーム情報付加映像信号は電子ズーム処理回路１０へ入力される。電子ズーム処理回路１０では、電子ズーム情報が付加されていない映像信号が入力された場合は、マイクロコンピュータ８からの電子ズーム制御信号に応じて、入力された映像信号をデジタル信号処理して画像が拡大されるように補間処理する。また、電子ズーム情報付加映像信号が入力された場合には、その付加された電子ズーム情報に応じて入力された映像信号をデジタル信号処理して画像が拡大されるように補間処理する。なお、設定切換に応じて、電子ズーム情報付加映像信号が入力された場合であっても、マイクロコンピュータ８からの電子ズーム制御信号に応じて、電子ズーム情報付加映像信号をデジタル信号処理して画像が拡大されるように補間処理してもよい。このように補間処理された映像信号は、電子ズーム処理回路１０からＤ／Ａ変換＆エンコーダ回路１１へ入力され、デジタルの映像信号からアナログの映像信号に変換された後、モニタ（図示せず）で画面表示可能な映像信号となるように変調（エンコード）され、その変調された映像信号が後段のモニタ等へ出力される。
【００１３】
次に、電子ズーム情報を映像信号に付加する場合の、本発明のテレビジョンカメラの動作を図３を用いて説明する。
まず、テレビジョンカメラが電子ズーム処理中か否か（ステップ３０１）を判断し、それが処理中の場合は、電子ズーム倍率および電子ズームの対象範囲を決定する（ステップ３０２）。ＤＳＰ回路４からの映像信号を電子ズーム処理する（ステップ３０３）。さらに、その電子ズーム中の映像をメモリに記録するか否か（ステップ３０４）を判断し、記録する場合は、ＤＳＰ回路４からの映像信号に電子ズーム情報を付加してメモリ７に記録する。
ステップ３０１で、電子ズーム処理中でない場合は、電子ズーム処理を行わないで映像信号を出力する（ステップ３０６）。さらに、その電子しない映像をメモリに記録するか否か（ステップ３０７）を判断し、記録する場合は、ＤＳＰ回路４からの映像信号に電子ズーム情報を付加しないでメモリ７に記録する。
以上のようにして各フィールド映像信号の電子ズーム情報の付加に係わる処理を実施する。
【００１４】
次に、映像信号に付加された電子ズーム情報により電子ズームを行う場合の、本発明のテレビジョンカメラの動作を図４を用いて説明する。
【００１５】
まず、テレビジョンカメラがメモリ７からの映像信号を出力するか否か（ステップ４０１）を判断し、出力する場合は、その映像信号に付加された電子ズーム情報を基に電子ズームするか否か（ステップ４０２）を判断し、付加された電子ズーム情報で電子ズームする場合は、付加された電子ズーム情報をメモリ７からマイクロコンピュータ８へ取り込む（ステップ４０３）。さらに、取り込まれた電子ズーム情報が、前述の図３のステップ３０５によって付加されて情報を有すか、あるいは、前述の図３のステップ３０８によって付加されずに情報を有さないか（ステップ４０４）を判断し、情報を有する場合は、取り込まれた電子ズーム情報に応じてメモリ７からの映像信号に電子ズーム処理を施した映像信号を出力する（ステップ４０５）。
ステップ４０２で、付加された電子ズームを基に電子ズームしない場合は、電子ズーム処理しないでメモリ７からの映像信号を出力する（ステップ４０６）。
また、ステップ４０４で、取り込まれた電子ズーム情報が前述の図３のステップ３０８によって付加されずに情報を有さない場合も、上述のステップ４０６を行う。
以上のようにして映像信号に付加された電子ズーム情報により映像信号での電子ズーム処理した映像信号の出力に係わる処理を実施する。
【００１６】
【発明の効果】
以上説明したように本発明によれば、電子ズーム処理前の映像信号をメモリに記憶するときに、並行して現に映像信号が電子ズーム処理され出力されている場合の電子ズーム処理を行うためのパラメータである電子ズーム倍率や電子ズーム拡大対象範囲の情報、すなわち、電子ズーム情報を映像信号と共にそれらを関連づけてメモリに記録する。そのため、テレビジョンカメラのメモリに記憶された映像信号に対して、その記憶時に並行してテレビジョンカメラから出力される映像信号に施されていたのと同じ電子ズーム処理を、そのメモリからの映像信号に、より簡便に施した上で、テレビジョンカメラから出力できる。
【図面の簡単な説明】
【図１】本発明の一実施例のブロック構成を示す図。
【図２】従来の技術のテレビジョンカメラのブロック構成例を示す図。
【図３】本発明によるテレビジョンカメラの動作の一例を説明するためのフローチャート。
【図４】本発明によるテレビジョンカメラの動作の一例を説明するためのフローチャート。
【符号の説明】
１：固体撮像素子（ＣＣＤ）、  ２：サンプルホールドおよび自動利得制御回路（ＣＤＳ＆ＡＧＣ回路）、  ３：Ａ／Ｄ変換器、  ４：ＤＳＰ回路（デジタル信号処理回路）、  ５：電子ズーム情報付加回路、  ６，９：セレクタ回路、  ７：メモリ、  ８：マイクロコンピュータ、  １０：電子ズーム処理回路、  １１：Ｄ／Ａ変換＆エンコーダ回路。
【図１】
0003698397.tif 000002
【図２】
0003698397.tif 000003
【図３】
0003698397.tif 000004
【図４】
0003698397.tif 000005